(57)【特許請求の範囲】
【請求項１】
ディジタルで伝送されるラジオ放送番組に対し、別の周波数においてアナログおよびディジタルで伝送される等価のラジオ放送番組も存在しており、ディジタルで伝送されるラジオ放送番組はフレームで受信され、アナログおよびディジタルで伝送されるラジオ放送番組を受信するためにただ１つの受信部を備えた受信機が用いられる形式の、
アナログおよびディジタルで伝送されるラジオ放送番組のための受信機において、
ディジタルまたはアナログで伝送されるラジオ放送番組の受信時、等価のラジオ放送番組におけるそれぞれアナログラジオ放送信号およびディジタルラジオ放送信号のうち少なくとも一方の信号品質を表す信号パラメータが所定の時間周期で測定され、
ディジタルで伝送されるラジオ放送信号とアナログで伝送されるラジオ放送信号の受信信号品質を表す複数の信号パラメータがそれぞれ異なって重み付けされて加算され、ディジタルラジオ放送信号に関する前記複数の信号パラメータの和が第１の閾値と比較され、アナログラジオ放送信号に関する前記複数の信号パラメータの和が第２の閾値と比較され、
ディジタルラジオ放送信号の前記複数の信号パラメータの和が第１の閾値よりも大きければ、ディジタルで伝送されるラジオ放送番組の受信が続けられ、またはディジタルで伝送されるラジオ放送番組の受信に切り替えられ、
ディジタルラジオ放送信号の前記複数の信号パラメータの和が第１の閾値よりも小さければ、第２の閾値よりも大きい前記複数の信号パラメータの和をもつ等価のアナログ伝送ラジオ放送番組に切り替えられ、
ラジオ放送番組におけるラジオ放送信号の前記複数の信号パラメータの和が第２の閾値よりも大きくなければ、受信不可能であることが表されることを特徴とする、
アナログおよびディジタルで伝送されるラジオ放送番組のための受信機。
【請求項２】
ディジタルとアナログの放送信号を受信するためにアンテナ（１）および高周波受信部（２）の少なくとも一方が用いられ、または受信機のプロセッサ（３）が受信されたディジタルとアナログのラジオ放送信号をデコーディングする、請求項１記載の受信機。
【請求項３】
ラジオ放送番組のディジタルラジオ放送信号の受信時、等価のラジオ放送番組におけるアナログおよびディジタルのラジオ放送信号の信号パラメータについて、１つのフレーム期間のうち一部分の期間だけ測定を実行することにより可聴の作用を生じさせない、請求項１記載の受信機。
【請求項４】
ラジオ放送番組のディジタルラジオ放送信号の受信時、等価のラジオ放送番組におけるアナログおよびディジタルのラジオ放送信号の信号パラメータについて、１つのフレームの期間だけ測定を実行することにより可聴の作用を生じさせない、請求項１記載の受信機。
【請求項５】
等価のラジオ放送番組をどの周波数でサーチすべきかを示すデータがラジオ放送信号に含まれている、請求項３または４記載の受信機。
【請求項６】
信号パラメータとして信号電界強度が閾値と比較される、請求項１から５のいずれか１項記載の受信機。
【請求項７】
ディジタルラジオ放送信号であれば前記信号パラメータとして、信号電界強度またはベースバンドエネルギーまたは同期合わせ試行の結果またはビットエラーレートまたは隣接チャネルの信号電界強度が用いられる、請求項１記載の受信機。
【請求項８】
アナログラジオ放送信号であれば前記信号パラメータとして、信号電界強度またはＳＮ比またはデータ中に示されている周波数と等価のディジタルラジオ放送番組に関する実際の周波数との偏差またはマルチパス伝播の推定または隣接チャネルの信号電界強度またはパイロットトーン検出またはディジタル搬送波たとえばＲＤＳの検出または周波数偏移が用いられる、請求項１記載の受信機。
【請求項９】
前記の第１および第２の閾値がメモリからロードされ、またはプロセッサにより計算される、請求項１から８のいずれか１項記載の受信機。
【請求項１０】
ラジオ放送番組におけるアナログラジオ放送信号の受信時、等価のディジタルおよびアナログのラジオ放送番組の少なくとも一方の信号パラメータについて、まえもって定めた持続時間の期間だけ測定を実行することにより可聴の作用を生じさせない、請求項１から９のいずれか１項記載の受信機。
【発明の詳細な説明】
【０００１】
【発明の属する技術分野】
本発明は、ディジタルで伝送されるラジオ放送番組に対し、別の周波数においてアナログおよびディジタルで伝送される等価のラジオ放送番組も存在しており、ディジタルで伝送されるラジオ放送番組はフレームで受信される形式の、アナログおよびディジタルで伝送されるラジオ放送番組のための受信機に関する。
【０００２】
【従来の技術】
ヨーロッパ特許出願公開公報 EP 086 517 5 A2 により、アナログとディジタルで伝送されるラジオ放送番組のための受信機があることはすでに知られており、この場合、超短波のためとＤＡＢ（Digital Audio Broadcasting）のためにそれぞれ別個に１つの受信部が用いられる。このような構成により、一方の受信部が目下のところラジオ放送番組の受信に用いられるとき、その時間に他方の受信部が等価のラジオ放送番組をその信号品質についてチェックして、目下合わせられているラジオ放送番組の信号品質が低下したときにその等価のラジオ放送番組に切り替えることができる。このような等価のラジオ放送番組は、同じラジオ放送番組であるがただしディジタルで伝送される代わりにこんどはアナログで伝送されるかまたはその逆であり、および／または別の周波数で伝送されるか、あるいは目下合わせられているラジオ放送番組に対応するラジオ放送番組、情報および／または音楽である。したがってこのような受信機は、アナログとディジタルで伝送されるラジオ放送番組を受信するために並行して動作する２つの受信部を有している。
【０００３】
【発明が解決しようとする課題】
本発明の課題は、冒頭で述べた形式の受信機において、アナログおよびディジタルで伝送されるラジオ放送番組を受信するためにただ１つの受信部だけが用いられ、受信中のタイムスロットにおいて、目下合わせられているラジオ放送番組に対し等価のラジオ放送番組の品質が検査されるように構成することである。
【０００４】
【課題を解決するための手段】
本発明によればこの課題は、ディジタルまたはアナログで伝送されるラジオ放送番組の受信時、等価のラジオ放送番組におけるそれぞれアナログラジオ放送信号およびディジタルラジオ放送信号のうち少なくとも一方の信号品質を表す信号パラメータが所定の時間周期で測定され、ディジタルで伝送されるラジオ放送信号とアナログで伝送されるラジオ放送信号の受信品質を表す複数の信号パラメータがそれぞれ異なって重み付けされて加算され、ディジタルラジオ放送信号に関する前記複数の信号パラメータの和が第１の閾値と比較され、アナログラジオ放送信号に関する前記複数の信号パラメータの和が第２の閾値と比較され、ディジタルラジオ放送信号の前記複数の信号パラメータの和が第１の閾値よりも大きければ、ディジタルで伝送されるラジオ放送番組の受信が続けられ、またはディジタルで伝送されるラジオ放送番組の受信に切り替えられ、ディジタルラジオ放送信号の前記複数の信号パラメータの和が第１の閾値よりも小さければ、第２の閾値よりも大きい前記複数の信号パラメータの和をもつ等価のアナログ伝送ラジオ放送番組に切り替えられ、ラジオ放送番組におけるラジオ放送信号の前記複数の信号パラメータの和が第２の閾値よりも大きくなければ、受信不可能であることが表されることにより解決される。
【０００５】
【発明の実施の形態】
このように、アナログおよびディジタルで伝送されるラジオ放送番組のための本発明による受信機が有する利点によれば、アナログおよびディジタルで伝送されるラジオ放送番組を受信するためにただ１つの受信部だけしか用いられず、受信中のタイムスロットにおいて、目下合わせられているラジオ放送番組に対し等価のラジオ放送番組の品質が検査される。そのようなタイムスロットは、そのような検査がユーザに聞こえないほど短く構成されている。
【０００６】
ただ１つの受信部しか使用しないのでコンポーネントが節約される。これにより受信機が小さくなるし簡単な構造が実現され、そのことで殊に自動車への組み込みに有利となる。しかも、僅かなコンポーネントしか使用しなければ受信機の価格も抑えられる。したがってユーザに対し、高品質のラジオ放送番組を受信するための受信機の操作が格段に容易になるようなサービスを安価で提供することができる。
【０００７】
従属請求項に記載の構成により、独立請求項に記載の受信機の有利な実施形態が可能である。
【０００８】
殊に有利であるのは、アナログおよびディジタルの伝送方式で送り出されたラジオ放送信号の受信ならびに処理のために、ただ１つのアンテナおよび／または高周波受信部および／またはプロセッサしか必要としないことである。これによって受信機のコストとサイズが著しく小さくなる。それというのも、アナログおよびディジタルのラジオ放送信号の処理のために、１つずつしか設けられていないコンポーネントが用いられるからである。
【０００９】
有利には、ディジタル伝送ラジオ放送信号の受信にあたり、１つのフレームにおいて目下合わせられているラジオ放送番組に関する情報の含まれていない区間が利用され、その区間内において等価のアナログラジオ放送番組および／またはディジタルラジオ放送番組をそれらの信号品質について検査する。このようにして、検査によっても可聴の作用を生じさせないようにすることができ、その結果、そのような測定によってもユーザを惑わすことはない。
【００１０】
本発明の１つの実施形態によれば、等価のアナログラジオ放送番組および／またはディジタルラジオ放送番組の信号品質測定を実行するために、少なくとも１つのフレームの期間が用いられる。これは、１つのフレームの損失によっても可聴の作用はほとんど生じない、という利点を有している。なぜならば、ラジオ放送番組の音声情報は多数のフレームに分割されており、１つのフレームの損失は誤り訂正方式を用いることで補えるからである。
【００１１】
しかも、等価のラジオ放送番組のリストをもつデータがラジオ放送番組内に含まれていると有利である。これにより、等価のラジオ放送番組の信号品質を短期間で検査するために、受信機のプロセッサはそのリストから周波数を簡単に設定できるようになる。
【００１２】
さらに有利には、アナログ伝送ラジオ放送番組が低い音声レベルを有する場合、受信機はアナログ伝送ラジオ放送番組からディジタル伝送ラジオ放送番組への切り替えを行う。
【００１３】
また、等価のラジオ放送番組への切り替えが可能であるか否かを判定する目的で、等価のラジオ放送番組の信号電界強度を信号パラメータとして測定すると有利である。信号電界強度は説得力のある信号パラメータであって、これは簡単に測定可能である。
【００１４】
有利であるのは、ディジタル伝送ラジオ放送番組であれば、ベースバンドエネルギー、同期合わせ試行の結果、隣接チャネルの信号電界強度、ならびにビットエラーレートを、別の信号パラメータとして測定することであり、その目的は、これらの種々の信号パラメータに基づき等価のラジオ放送番組の品質に関して表出力のあるイメージを取得するためである。
【００１５】
さらに有利であるのは、アナログ伝送ラジオ放送番組であれば、ＳＮ比、周波数偏差、マルチパス伝播の推定、隣接チャネルの信号電界強度、パイロットトーンの検出、周波数偏移、ならびにディジタル搬送波たとえばＲＤＳ（Radio Data Signal）の評価を、信号パラメータとして測定することであり、その目的は、等価のアナログ伝送ラジオ放送番組への切り替えが可能であるか否かの判定を下すためである。
【００１６】
本発明の１つの実施形態によれば、等価のラジオ放送番組への切り替えが可能であるか否かを判定するため、その等価のラジオ放送番組について測定された種々の信号パラメータが重み付けられて加算され、その後、閾値と比較される。これにより、ただ１つの信号パラメータしか測定しないことで等価のラジオ放送番組の信号品質に対し誤った印象の生じてしまうことが回避される。
【００１７】
有利には、上記の閾値はメモリからロードされ、この場合、それらの閾値はまえもって与えられており、および／またはそれらの閾値は受信機のプロセッサにより計算されるかまたは、状況に合わせて応答できるようにするため、たとえば一般には劣悪な受信条件に合わせて応答できるようにするため、少なくとも計算しなおされる。
【００１８】
さらに有利には、アナログ伝送ラジオ放送番組の受信にあたり、可聴の作用が生じないようまえもって定められた短い期間で、等価のディジタルラジオ放送番組および／またはアナログラジオ放送番組の信号パラメータが測定される。
【００１９】
次に、図面を参照しながら実施例に基づき本発明について詳しく説明する。
【００２０】
【実施例】
地上伝送されるディジタルラジオ放送番組は、さしあたり引き続き存在するアナログ伝送されるラジオ放送番組と同時に放送されるが、これを導入することにより、無線受信機たとえばアナログ伝送されるラジオ放送番組もディジタル伝送されるラジオ放送番組も受信できるような自動車内の無線受信機の必要性が生じる。このような受信機に対する重要な基準尺度は、できるかぎり僅かな価格とできるかぎり僅かな体積構造をもつことである。
【００２１】
アナログ伝送されるラジオ放送番組もディジタル伝送されるラジオ放送番組も互いに並行して存在しており、特定の場所において様々な品質で伝送されるので、このような受信機を以下のように構成することが必要とされる。すなわち、目下合わせられているラジオ放送番組の信号品質が閾値よりも低下したときに、そのような等価のラジオ放送番組へ自動的に切り替える目的で、等価のラジオ放送番組が受信中に検査されるように構成されていなければならない。ここで重要となるのは、受信機のユーザに上述の測定による作用が聞こえないようにし、それに気がつかないようにすることである。また、ラジオ放送番組の受信品質に関する包括的なイメージを作る目的で、あるいは少なくとも、信号パラメータの測定によって適正な結果が確実に得られるようにする目的で、ラジオ放送番組の種々の信号パラメータに留意しなければならない。
【００２２】
移動中の車両内の地上における受信に殊に適しているＤＡＢ（Digital Audio Broadcasting）の場合には目下のところ、全体をカバーするサービスエリアも存在しないし、すべてのアナログ伝送されるラジオ放送番組がＤＡＢによって放送されるわけでもない。このため、ＤＡＢにより放送されているラジオ放送番組のサービスエリアを出たとき、新たなラジオ放送番組を手動で探す負担をドライバから取り除くため、等価のラジオ放送番組への自動的な切り替えが必要である。
【００２３】
これと同じことは、ＤＶＢ（Digital Video Broadcasting）、ＤＲＭ（Digital Radio Mondial）またはＡＴＳＣ（Advanced Television Systems Commitee）などのような別のディジタル伝送方式によって伝送されるラジオ放送番組についてもあてはまるし、あるいはそのようなディジタル伝送方式を用いてラジオ放送番組を伝送するように少なくとも計画されているラジオ放送番組についてもあてはまる。
【００２４】
本発明によればこの課題は、ディジタルおよびアナログで伝送されるラジオ放送番組のための受信機が短期間、等価のラジオ放送番組の信号パラメータの測定を、可聴の作用が引き起こされることなく実行することによって解決される。
【００２５】
図１には、本発明による受信機が描かれている。この場合、アンテナ１は高周波受信部２と接続されている。アンテナ１により受信されたディジタルおよびアナログのラジオ放送信号は、高周波受信部２によってフィルタリングされて増幅され、さらに中間周波数に変換される。
【００２６】
高周波受信部２は、入出力側を介してプロセッサ３と接続されている。プロセッサ３は高周波受信部２により中間周波数に変換された信号を受け取り、まずはじめにその信号をディジタル化してデコーディングし、ディジタルＤＡＢ／超短波信号処理を実行し、その後、第１のデータ出力側を介してプロセッサ３と接続されている音声処理部４へ転送される。プロセッサ３は、どの周波数をつまりはどのラジオ放送番組をスペクトルからフィルタリングして抽出すべきであるのかについてのデータを、高周波受信部２へ送る。音声処理部４は、第１の出力側を介してスピーカ５と接続されている。さらにプロセッサ３は、第２のデータ出力側を介してディスプレイ１３と接続されている。
【００２７】
音声処理部４は、ディジタルデータを処理してスピーカ５による音響的表出の準備をする。受信したデータに音声データのみならず、ディスプレイ１３によって表示すべきデータも含まれているならば、プロセッサ３はディジタルデータを処理して光学的表出の準備をする。この場合、ディスプレイ１３はスクリーンであるが、他のプロジェクション技術であってもよい。
【００２８】
アンテナ１を用いることにより、アナログ伝送されるラジオ放送信号もディジタル伝送されるラジオ放送信号も受信される。アナログ伝送されるラジオ放送信号にはたとえば超短波信号が含まれ、これはディジタル搬送波（ＲＤＳ＝Radio Data System）も有している。超短波は、アナログ伝送されるラジオ放送番組のうち最良の信号品質を有している。とはいうものの、中波や短波であってもよい。ＲＤＳには種々のデータをもたせることが可能であり、たとえば等価のラジオ放送番組の伝送される周波数に関する情報が伝送される。
【００２９】
ここでは等価のラジオ放送番組は同一のラジオ放送番組を表し、これは別の周波数で伝送され、および／または別の伝送方式で伝送され、つまりアナログではなくディジタルで、またはディジタルではなくアナログで伝送される。さらに等価のラジオ放送番組は、目下合わせられているラジオ放送番組と同等の内容をもつ番組のことも指す。この場合にはたとえば、ある通信送信局が別の通信送信局と置き換えられる。どのような形式の情報あるいは音楽が個々のラジオ放送番組で伝送されるのかについての情報は、ディジタル伝送されるラジオ放送番組においていっしょに伝送されるデータ内に含まれており、超短波の場合にもそのためにＲＤＳが使われる。
【００３０】
ディジタル伝送されるラジオ放送番組のために、たとえば伝送方式ＤＡＢ（Digital Audio Broadcasting）が実施される。ＤＡＢは複雑なフレーム構造を有しており、これによって音声データのほかに、たとえばマルチメディアデータなど他のデータもいっしょに伝送できるようになる。さらにＤＡＢの場合、受信信号に及ぼされる周波数選択的な減衰の影響を最小にするため、伝送すべき信号がそれぞれ異なる多数の周波数に分割される。なぜならば、それぞれ異なる周波数に信号を分割することにより、伝送される信号の僅かなパーセンテージしか周波数選択的な減衰によっても障害を受けないからである。その場合、このような障害は、適切な誤り識別および誤り訂正方式によって補正することができる。ＤＡＢと類似した方式は、ＤＶＢ（Digital Video Broadcasting）およびＤＲＭ（Digital Radio Mondial）である。これらの方式がＤＡＢとは異なる点は殊に、送信周波数と伝送レートと精確なフレーム構造の点である。しかしこれらの方式を、本発明による装置にも適用できる。これに対しＡＴＳＣは、１つの周波数においてのみ信号を有している。
【００３１】
本発明による受信機がディジタル伝送されたラジオ放送番組を受信すると、受信機は短期間、等価のラジオ放送番組におけるラジオ放送信号の信号パラメータ測定を実行する。各測定間の時間間隔をかなり長くすることができる。
【００３２】
受信したデータによって自動的に供給される目下受信中のラジオ放送番組の信号パラメータが第１の閾値よりも大きければ、目下受信されたディジタルラジオ放送番組にとどまり続け、目下受信されたラジオ放送番組の信号パラメータが上記の第１の閾値を下回っていれば、等価のディジタル伝送ラジオ放送番組に切り替えられ、この場合、目下受信中のラジオ放送番組はディジタルまたはアナログで伝送される。このための前提条件は、等価のディジタル伝送ラジオ放送番組が第１の閾値よりも大きい信号パラメータを有することである。
【００３３】
このように本発明によれば、アナログ伝送ラジオ放送番組よりもディジタル伝送ラジオ放送番組の方が優先される。なぜならば、ディジタル伝送されるラジオ放送番組は明瞭に良好なＳＮ比を有しており、さらにマルチメディアアプリケーションに対し魅力的な可能性をもっており、アナログ伝送されるラジオ放送番組であるとマルチメディアアプリケーションはごく限られた範囲でしか実現できない。この場合、信号パラメータが劣化したため目下合わせられているラジオ放送番組からの変更が必要とされるとき、まずはじめに異なる周波数における同一のラジオ放送番組がサーチされ、その際、最初にディジタル伝送ラジオ放送番組が、次にアナログ伝送ラジオ放送番組がサーチされる。このようなサーチがうまくいかなければ、等価の内容をもつラジオ放送番組が起用され、その際に再度、最初はディジタル伝送ラジオ放送番組が、ついでアナログ伝送ラジオ放送番組が調べられる。
【００３４】
合わせられているアナログ伝送ラジオ放送番組の音声レベルが低下したときもやはりディジタル伝送ラジオ放送番組へ切り替えられ、その結果、継続中の番組の中断あるいは障害作用としてＳＮ比が目立って中断することが最低限に抑えられるようになる。
【００３５】
すべての等価のディジタル伝送ラジオ放送番組の信号パラメータおよび目下受信中のディジタルラジオ放送番組の信号パラメータが第１の閾値よりも小さければ、等価のアナログ伝送ラジオ放送番組に切り替えられ、これが行われるのは、アナログ伝送ラジオ放送番組の信号パラメータが第２の閾値よりも大きいときである。このアナログ伝送ラジオ放送番組の信号パラメータが第２の閾値よりも小さければ、受信不可能であるとディスプレイ１３に表示される。
【００３６】
これらの閾値は、プロセッサ３に接続されているメモリからロードされ、ここでそれらの閾値はまえもって決定され、さらに詳しくは、受信ラジオ放送番組の音声品質に関する経験的な調査に基づき決定される。本発明の１つの実施形態によればこれらの閾値は、受信条件の変化に応答するため、ロードされた閾値に基づきプロセッサ３により計算され、そのようにしてそれらの受信条件に対する整合が行われる。
【００３７】
これに対する代案として、格納されている数学的モデルと目下の受信条件に基づき、プロセッサ３が閾値を継続的に計算しなおすように構成してもよい。
【００３８】
図２にはＤＡＢフレームが示されている。ＤＡＢフレームのフィールド６には、同期信号とフレーム構造に関する情報とが含まれている。ＤＡＢフレームのフィールド７にはラジオ放送番組Ａに関するデータが、フィールド８にはラジオ放送番組Ｂに関するデータが、さらにフィールド９にはラジオ放送番組Ｃに関するデータが含まれている。目下、ラジオ放送番組Ｂに合わせられている。このため、目下合わせられているラジオ放送番組には不要なデータの含まれているフィールド７と９の間に、ラジオ放送番組Ｂに対し等価のラジオ放送番組の測定を実行することができる。これによっても、ラジオ放送受信機のユーザに聞こえてしまう作用は発生しない。その理由は、フィールド７と９の期間は、ラジオ放送番組Ｂの表出にとってみればいずれにせよ取るに足らないものだからである。
【００３９】
これに対する代案として、等価のラジオ放送番組の信号パラメータの測定が少なくとも１つのフレーム全体にわたり実行される。これによっても、ユーザに聞こえてしまう作用は発生しない。その理由は、ＤＡＢの場合にはデータは時間的にスクランブルされているからであり、つまりいわゆるタイムインターリーブが行われているからである。この場合、音声情報が１６個のＤＡＢフレームに分割される。それらのうち１つのフレームが欠けると、つまり音声情報全体の１６分の１が欠けると、すでにインプリメントされているエラー補正方式によってそれを補正することができる。
【００４０】
超短波信号の場合、等価のラジオ放送番組の信号パラメータ測定に必要とされるごく短期間の受信の中断によっても、受信機のユーザに聞こえてしまう作用は生じない。このような短期間の中断は、たとえば５ｍｓの期間である。超短波の場合にはＲＤＳによって、等価のラジオ放送番組の周波数リストが伝送される。等価のラジオ放送番組のリストを伝送する代わりに、受信可能なすべてのラジオ放送番組のリストを伝送することも可能であり、個々のラジオ放送番組がどのような種類のものであるのかを受信機に評価させるようにする。ＤＡＢの場合にはそのために番組形式識別子が設けられており、ＲＤＳには番組情報コードがある。アナログ伝送されディジタル搬送波をもたないラジオ放送番組については、そのラジオ放送番組においてどのような種類の音楽や情報が送信されるのかに関するリストが設けられていなければならない。
【００４１】
図３には、ＲＤＳグループが描かれている。フィールド１０において番組識別子が示され、フィールド１１には誤り検出情報が、フィールド１２にはさらに別の情報が含まれている。フィールド１０内の番組情報は、伝送される番組情報がどのような種類のものであるのかを求めるために用いることができる。
【００４２】
ラジオ放送番組のラジオ放送信号の検査に適した信号パラメータとしては、信号電界強度が殊に適している。これは、ラジオ放送番組がどのような強さで受信されるのかを表す。ディジタルラジオ放送信号であれば別の信号パラメータとして、ベースバンドエネルギーおよび／または同期合わせ試行の結果、あるいは隣接チャネルの信号電界強度を用いることができる。隣接チャネルの信号電界強度は他の送信側のクロストークを表し、それは必ずしもラジオ放送送信局というわけでもない。しかしながらそのような送信側は、何らかのラジオ放送番組に対し周波数の間隔が僅かであれば著しい妨害を引き起こし、つまりはそのラジオ放送番組の信号品質に決定的なダメージを与えてしまう。
【００４３】
アナログラジオ放送信号の場合には別の信号パラメータとして、ＳＮ比および／または、ＲＤＳまたはＤＡＢ信号で示されているそのアナログ伝送ラジオ放送番組の周波数の偏差、またはそのラジオ放送番組に関するマルチパス伝播がどのような具合であるかを表すチャネル推定、および／または隣接信号の信号電界強度、および／またはパイロットトーン検出、および／または有利にはＲＤＳであるディジタル搬送波の検出、および／または周波数偏移の検出が挙げられる。チャネル推定に対する代案として、対称検出器を使用するのも有利である。対称検出器が非対称性を検出した場合、その原因をマルチパス伝播とすることができる。このような手法は、チャネル推定よりも計算の手間が格段に僅かにしかかからない。対称検出器はたとえば、ステレオ伝送の和信号と差信号から対称性信号を求め、それに基づき非対称であるか否かを識別する。
【００４４】
ラジオ放送番組の信号品質に関するイメージを得る目的で、重要性に従い種々の信号パラメータを重み付けることができ、和を形成してそれを対応する閾値と比較する。これはディジタルラジオ放送信号であれば第１の閾値であり、アナログラジオ放送信号であれば第２の閾値である。択一的に、複数の信号パラメータを求めることにより多数決を実行することができる。閾値を用いた信号パラメータの評価結果は通報され、その通報結果が互いに比較され、たとえば論理結合が行われる。この場合、個々の信号パラメータを、それらを同じ閾値と比較するために重み付けることもできる。
【００４５】
それぞれ単に高周波受信部とプロセッサを用いるのではなく、それらの構成部のうちの一方だけを超短波とＤＡＢのために用い、他方を２つ設けておくこともできる。これによって処理にあたり利点をもたらすことができる。
【図面の簡単な説明】
【図１】アナログおよびディジタルで伝送されるラジオ放送信号のための本発明による受信機を示す図である。
【図２】ＤＡＢフレームを示す図である。
【図３】ＲＤＳグループを示す図である。
【符号の説明】
１  アンテナ
２  高周波受信部
３  プロセッサ
４  音声処理部
５  スピーカ
１３  ディスプレイ
【図１】
0004418582.tif 000002
【図２】
0004418582.tif 000003
【図３】
0004418582.tif 000004